(57)【特許請求の範囲】
【請求項１】
扉等の開口閉鎖体または開口縁のいずれか一方に固定された緩衝装置本体および他方に固定された係合部材よりなり、緩衝装置本体が、回転式ダンパと、回転式ダンパの回転軸に固定された回転アームとを備え、回転式ダンパが、下端が閉塞されるとともに上端が開口した横断面円形状の胴体およびその開口を塞ぐ蓋体からなるケーシングと、ケーシング内に胴体と同軸上に収められた円柱状回転体と、回転体の中央に設けられてケーシングから突出し、かつ回転体と一体に回転する回転軸とを備え、ケーシング内に複数形成された粘性流体充填室を粘性流体が行き来するさいの流路の断面積を変化させることにより抵抗力が変化するようになされており、回転アームに、係合部材と係合して係合部材により案内される案内部が設けられ、緩衝装置本体に、回転アームの案内部と係合部材とが離れた開口閉鎖体全開状態において、回転アームを所定状態に保持し、かつ回転アームの案内部と係合部材とが係合した開口閉鎖体半開状態から開口閉鎖体を閉める方向に付勢する付勢手段が設けられ、付勢手段により開口閉鎖体が閉められるとともに回転アームが回転して回転式ダンパの回転軸が回転することにより開口閉鎖体の閉鎖速度が減速されるようになされている閉鎖緩衝装置。
【請求項２】
胴体に、胴体の内周面から内方へ向かって突出して先端が回転体外周面に摺接した固定仕切体が固定状に設けられ、回転体に、回転体の外周面から半径方向外方に向かって突出した回転仕切体が形成されており、胴体内面、回転体外周面、固定仕切体、回転仕切体および蓋体により囲まれた空間がそれぞれ粘性流体充填室となされ、
固定仕切体に、固定仕切体により仕切られた充填室をつなぐ連通路が形成され、回転仕切体の先端面に、先端面の上端から下端まで伸びた縦溝が形成され、縦溝に半径方向可動体が一側縁から嵌め入れられており、回転仕切体あるいは可動体の少なくともいずれか一方に縦溝底壁面と可動体一側縁との間に所定の間隔を保つ保持手段が設けられ、縦溝の一側縁と半径方向可動体とにより囲まれた空間が流体流入空間となされ、回転仕切体の縦溝を形成する一方の側壁に流体充填室と流体流入空間とをつないだ流路が形成されており、回転体の一方向の回転にともない流体充填室の粘性流体が流路を通って流体流入空間に流入し、半径方向可動体を半径方向外方に押し出して胴体内周面に可動体他側縁を当接させ、回転体の他方向の回転にともない流体流入空間の粘性流体が流路を通って充填室へ流出し、半径方向可動体を半径方向内方に引っ張って胴体内周面から可動体他側縁を離すようになされている請求項１に記載の閉鎖緩衝装置。
【発明の詳細な説明】
【０００１】
【発明の属する技術分野】
本発明は、回転軸を一方向に回転させるさいに生じる抵抗と、他方向に回転させるさいに生じる抵抗が異なる回転式ダンパを用い、扉等の開口閉鎖体が急激に閉まることのないようにする閉鎖緩衝装置に関する。
【０００２】
なお、本明細書において円形状とは、扇形状を含むものとする。
【０００３】
【従来の技術】
従来、回転式ダンパとしては、種々のものがあり、例えば、実開昭５２−６５９５５号公報には、以下の回転式ダンパが記載されている。
【０００４】
回転式ダンパの本体内部が上下二つの断面円形状の室に区分され、一方の室内に蓄力機構が、他方の室内に制動機構がそれぞれ設けられ、その中央部を駆動軸が貫通している。駆動軸の一端には、一方の室内に一端が固定された渦巻きばねの内端が固定され、駆動軸の他端部には、半径方向外方に向かって伸びたウイングピストンが固定されている。さらに、他方の室内には、適当な潤滑性および流動性をもつ例えば、油粘土等の圧力媒体が封入されている。
【０００５】
上記の回転式ダンパにおいては、扉を開いたさいの力を渦巻きばねに蓄積し、開かれた扉がこの蓄積された力で閉められるとともに、扉を閉めるさいは、ウイングピストンにより圧力媒体を流動させるようになされているので、ダンパの駆動軸の回転に対する抵抗力が生じるので扉が急激に閉まることがない。
【０００６】
【発明が解決しようとする課題】
上記、従来のダンパでは、蓄力機構および制動機構を構成するための部品点数が多く、回転式ダンパが高価になるという問題がある。また、この回転式ダンパを用いた閉鎖緩衝装置の場合、ばねに蓄積された力により扉を閉めるものであるので、扉を開いたままの状態にすることができないという問題もある。
【０００７】
本発明の目的は、部品点数が少なく安価な回転式ダンパを用いた閉鎖緩衝装置を提供することにある。さらに、扉を開いた状態で保持できるとともに、扉を閉めるさいに急激に閉まることがない閉鎖緩衝装置を提供することにある。
【０００８】
【課題を解決するための手段】
本発明による閉鎖緩衝装置に用いる回転式ダンパは、下端が閉塞されるとともに上端が開口した横断面円形状の胴体およびその開口を塞ぐ蓋体からなるケーシングと、ケーシング内に胴体と同軸上に収められた円柱状回転体と、回転体の中央に設けられてケーシングを貫通してケーシングから突出し、かつ回転体と一体に回転する回転軸とを備え、ケーシング内に複数形成された粘性流体充填室を粘性流体が行き来するさいの流路の断面積を変化させることにより抵抗力が変化するようになされている回転式ダンパであって、
胴体に、胴体の内周面から内方へ向かって突出して先端が回転体外周面に摺接した固定仕切体が固定状に設けられ、回転体に、回転体の外周面から半径方向外方に向かって突出した回転仕切体が形成されており、胴体内面、回転体外周面、固定仕切体、回転仕切体および蓋体により囲まれた空間がそれぞれ粘性流体充填室となされ、
固定仕切体に、固定仕切体により仕切られた充填室をつなぐ連通路が形成され、回転仕切体の先端面に、先端面の上端から下端まで伸びた縦溝が形成され、縦溝に半径方向可動体が一側縁から嵌め入れられており、回転仕切体あるいは可動体の少なくともいずれか一方に縦溝底壁面と可動体一側縁との間に所定の間隔を保つ保持手段が設けられ、縦溝の一側縁と半径方向可動体とにより囲まれた空間が流体流入空間となされ、回転仕切体の縦溝を形成する一方の側壁に流体充填室と流体流入空間とをつないだ流路が形成されており、回転体の一方向の回転にともない流体充填室の粘性流体が流路を通って流体流入空間に流入し、半径方向可動体を半径方向外方に押し出して胴体内周面に可動体他側縁を当接させることによって回転仕切体により仕切られた充填室を互いに遮断、または、両充填室をつなぐ連通路の断面積を減少させ、回転体の他方向の回転にともない流体流入空間の粘性流体が流路を通って充填室へ流出し、半径方向可動体を半径方向内方に引っ張って胴体内周面から可動体他側縁を離すことによって回転仕切体により仕切られた充填室間において、胴体内周面と可動体他側縁との間に新たな連通路を形成する、または両充填室間にあらかじめ形成された連通路の断面積を増大させるようになされているものである。
【０００９】
また、本発明の閉鎖緩衝装置は、扉等の開口閉鎖体または開口縁のいずれか一方に固定された緩衝装置本体および他方に固定された係合部材よりなり、緩衝装置本体が、上記の回転式ダンパと、回転式ダンパの回転軸に固定された回転アームとを備え、回転アームに、係合部材と係合して係合部材により案内される案内部が設けられ、緩衝装置本体に、回転アームの案内部と係合部材とが離れた開口閉鎖体全開状態において、回転アームを所定状態に保持し、かつ回転アームの案内部と係合部材とが係合した開口閉鎖体半開状態から開口閉鎖体を閉める方向に付勢する付勢手段が設けられ、付勢手段により扉が閉められるとともに回転アームが回転して回転式ダンパの回転軸が回転することにより開口閉鎖体の閉鎖速度が減速されるようになされているものである。
【００１０】
【発明の実施の形態】
以下、図面を参照して本発明の実施形態について説明する。
【００１１】
図１および図２は、本発明の閉鎖緩衝装置に用いる回転式ダンパの横断面図、図３は本発明の閉鎖緩衝装置の分解斜視図である。
【００１２】
本発明の回転式ダンパ(1) は、下端が閉塞されるとともに上端が開口した円筒状胴体(2) と、胴体(2) 内に胴体(2) と同軸上に収められた円柱状回転体(3) と、胴体(2) の上端開口を閉鎖した蓋体(5) と、回転体(3) に固定されて上端が蓋体(5) から突出した回転軸(6) とを備え、胴体(2) と蓋体(5) とからなるケーシング内が、４個の粘性流体充填室(A)(B)に仕切られており、各充填室(A)(B)に粘性流体が充填されている。なお、蓋体(5) と胴体(2) とは、図示は省略したが、４個のねじにより互いに固定されている。
【００１３】
以下、４個の充填室(A)(B)を形成している部材について詳細に説明する。
【００１４】
胴体(2) 上端高さと胴体(2) 内に収められた回転体(3) 上端高さとが同一水平面上に位置するようになされているとともに、図４に示したように、胴体(2) は、胴体(2) の上端から下端にかけて、胴体(2) の内周面から内方へ向かって突出し、かつ先端が回転体(3) 外周面に摺接するとともに互いに対向した２個の固定仕切体(10)を備えている。一方、図５に示したように、回転体(3) は、回転体(3) の外周の上端から下端にかけて、周方向に互いに１８０度の角度をなして回転体(3) 外周面から半径方向外方に向かって突出した垂直厚板状の２個の回転仕切体(14)を備えており、両仕切体(10)(14)、胴体(2) 内面、回転体(3) 外周面および蓋体(5) 下面により囲まれた空間がそれぞれ粘性流体充填室(A)(B)となされている。このようにして本実施形態では、４個の粘性流体充填室(A)(B)が形成されている。
【００１５】
回転軸(6) は、下端の短円柱状部(6a)、短円柱状部(6a)に連なった第１角柱状部(6b)、第１角柱状部(6b)に連なった長円柱状部(6c)および長円柱状部(6c)に連なった第２角柱状部(6d)からなり、下端の短円柱状部(6a)が、胴体(2) の下端面の中央に形成された、断面円形孔に嵌め入れられているとともに、第１角柱状部(6b)が回転体(3) の中央に形成された断面方形貫通孔(3a)を貫通しており、回転軸(6) と回転体(3) とが一体に回転するようになされている。なお、図示は省略したが、短円柱状部(6a)の回りには、座金および止め輪が嵌め入れられている。
【００１６】
蓋体(5) は、円板状部(5a)を備えている。円板状部(5a)の中央には、円形の貫通孔が形成されており、その貫通孔の周囲に上方に向かって突出した円筒状部(5b)が形成されている。円筒状部(5b)内に回転軸(6) の長円柱状部(6d)が位置しており、回転軸(6) の上端の第２角柱状部(6d)が蓋体(5) から上方に突出している。なお、長円柱状部(6c)の回りには、図示は省略したが、Ｏリングおよび筒状の軸受が配されている。また、蓋体(5) 上面には、上方に突出した大小２個の突部(5c)(5d)が形成されており、大型の突部(5c)には、ねじ孔(5e)と貫通ねじ孔(5f)が、小型の突部(5d)には、１個の貫通ねじ孔(5g)がそれぞれ形成されている。ねじ孔(5e)には、六角ねじ(7) が捩じ込まれており、後に詳しく述べるように、この回転式ダンパ(1) を閉鎖緩衝装置に用いたさい、閉鎖緩衝装置の回転アームがねじ(7) に当接して停止するようになされている。また、図示は省略したが、蓋体(5) には、適当な箇所に上下方向の貫通ねじ孔が形成されている。このねじ孔は、通常時、ねじが捩じ込まれて閉鎖され、必要時、ねじを外してこのねじ孔から粘性流体を回転式ダンパ(1) 内に入れるようになっている。
【００１７】
それぞれの固定仕切体(10)の上面には周方向に伸びる溝からなる第１連通路(R1)が形成されており、この第１連通路(R1)により固定仕切体(10)により仕切られた粘性流体充填室(A)(B)が互いにつながれている。各第１連通路(R1)の中央には、第１連通路(R1)の幅より大きな径の上下方向の有底孔(12)が開けられている。  有底孔(12)は、それぞれ蓋体(5) の貫通ねじ孔(5f)(5g)に連通している。そして、貫通ねじ孔(5f)(5g)に捩じ込まれたねじ(13)の捩じ込み量を変化させることにより、円板状部(5a)下面から突出して有底孔(12)内に突出したねじ(13)の長さを変化させて第１連通路(R1)の流路断面積を調整して回転体(3) が回転するさいに生じる抵抗を調整できるようになされている。
【００１８】
図５に示したように、各回転仕切体(14)の先端部に、上端から下端まで伸びた縦溝(14a) が形成されている。縦溝(14a) には、垂直板状の半径方向可動体(15)が嵌め入れられている。可動体(15)の半径方向内方側端部の上部および下部にそれぞれ切欠（保持手段）(15a) が形成されている。そして、可動体(15)が半径方向内方に移動したさい、可動体(15)の半径方向内方側端面が縦溝(14a) 底壁面に当接して切欠(15a) の半径方向内方側端面と縦溝(14a) 底壁面との間に所定の間隔が開けられるようになされており、下の切欠(15a) 、縦溝(14a) および胴体(2) 下壁上面とに囲まれた空間ならびに上の切欠(15a) 、縦溝(14a) および蓋体(5) 下面とに囲まれた空間がそれぞれ流体流入空間(S) となされている。また、縦溝(14a) を形成する回転仕切体(14)の側壁のうち、回転仕切体(14)が反時計回りに回転するさいに、回転方向前側に位置する側壁の上部および下部に流体流入空間(S) と粘性流体充填室(B) とをつないだ切欠（流路）(14b) がそれぞれ形成されている。なお、以下の説明において、流体流入空間(S) とつながっていない２つの粘性流体充填室を第１充填室(A) 、流体流入空間(S) とつながった２つの粘性流体充填室を第２充填室(B) というものとする。
【００１９】
上記のように構成された回転式ダンパ(1) において、例えば、図１に示したよ
うに、回転軸(6) に時計回りの力が加えられ、回転体(3) が時計回りに回転すると、第２充填室(B) 内の圧力が低下して流体流入空間(S) 内の粘性流体が、回転仕切体(14)の切欠(14b) を通って第２充填室(B) に流出し、流体流入空間(S) 内の粘性流体の体積が減少して可動体(15)が半径方向内方に引っ張られて可動体(15)先端面と胴体(2) 内周面との間に間隙ができ、第２連通路(R2)が形成され、回転仕切体(14)により仕切られた第２充填室(B) と第１充填室(A) とがつながれる。このように、回転体(3) が時計回りに回転すると、回転仕切体(14)により仕切られた第２充填室(B) と第１充填室(A) とが第２連通路(R2)によりつながれ、かつ固定仕切体(10)により仕切られた第２充填室(B) と第１充填室(A) とは第１連通路(R1)によりつながっているので回転体(3) が回転するさいに生じる抵抗が小さくなる。
【００２０】
図２に示したように、回転軸(6) に反時計回りの力が加えられ、回転体(3) が反時計回りに回転すると、流体流入空間(S) の圧力が低下して第２充填室(B) 内の粘性流体が、回転仕切体(14)の切欠(14b) を通って流体流入空間(S) に流入し、流体流入空間(S) 内の粘性流体の体積が増大して可動体(15)が半径方向外方に押しやられて可動体(15)先端面と胴体(2) 内周面とが当接して回転仕切体(14)により仕切られた第２充填室(B) と第１充填室(A) とが遮断される。このように、回転体(3) が反時計回りに回転すると、回転仕切体(14)により仕切られた第２充填室(B) と第１充填室(A) とが遮断され、固定仕切体(10)により仕切られた第２充填室(B) と第１充填室(A) とが第１連通路(R1)によりつながっているのみとなるので回転体(3) が回転するさいに生じる抵抗が大きくなる。
【００２１】
また、回転軸(6) に力が加えられなくなると、回転体(3) は、粘性流体の粘性力により即座に停止して回転体(3) が停止した状態が保たれる。
【００２２】
上記実施形態の回転式ダンパ(1) においては、固定仕切体(10)に形成された周方向に沿って伸びた溝により第１連通路(R1)が構成されているが、固定仕切体(10)先端面と回転体(3) 外周面との間の間隙を第１連通路としてもよい。
【００２３】
また、図６に示したように可動体(16)の半径方向内方側端部の上部および下部にそれぞれ半径方向内方に向けて突出した突部（保持手段）(16a) が形成されて
上の突部(16a) 下面、回転仕切体(17)の縦溝(17a) および下の突部(16a) の上面
に囲まれた空間が流体流入空間(S) となされ、縦溝(17a) を形成した回転仕切体(17)の一方の側壁の中央に流体流入空間(S) と粘性流体充填室(B) とをつないだ貫通孔（流路）(17b) が形成されている場合がある。
【００２４】
この可動体(16)および回転仕切体(17)を備えた回転式ダンパにおいても、回転体(3) が時計回りに回転すると、流体流入空間(S) 内の粘性流体が、回転仕切体(17)の貫通孔(17b) を通って第２充填室(B) に流出し、可動体(16)先端面と胴体(2) 内周面との間に間隙ができ、第２連通路(R2)が形成される。
【００２５】
回転体(3) が反時計回りに回転すると、第２充填室(B) 内の粘性流体が、回転仕切体(17)の貫通孔(17b) を通って流体流入空間(S) に流入し、可動体(16)先端面と胴体(2) 内周面とが当接して回転仕切体(17)により仕切られた第２充填室(B) と第１充填室(A) とが遮断される。
【００２６】
また、可動体の半径方向外方側端部に、周方向に突出した突部（保持手段）が形成されて可動体半径方向内方側端面と縦溝底壁面との間に間隔が開けられるようになされている場合や、縦溝底壁面から半径方向外方に突出した突部（保持手段）により可動体半径方向内方側端面と縦溝底壁面との間に間隔が開けられようにしてもよい。
【００２７】
なお、胴体をダイキャスト等により製造して胴体が円錐台状をなす場合は、可動体の高さを回転体の高さより低くして可動体が半径方向だけでなく、上下方向にも移動し得るようにすれば、可動体の半径方向外方の縁部を胴体の内周面の傾斜に合わせて傾斜させる必要をなくすことができる。なお、この場合は、回転仕切体により仕切られた粘性流体充填室は、可動体が胴体内周面に当接したさいにおいても完全に遮断されるものではなく、僅かな間隙（連通路）によりつながっており、可動体の移動によりこの間隙の断面積が変化して回転体が回転するさいの抵抗が変化する。
【００２８】
次に、上記のダンパを用いた閉鎖緩衝装置を、垂直軸回りに回転して開口を閉鎖および開放する扉に適用した場合について図７〜図９を参照して説明する。なお、以下の説明において、前後左右は図８を基準にするものとし、図８の紙面表側を前、紙面裏側を後、紙面左側を左、紙面右側を右というものとする。
【００２９】
本発明の閉鎖緩衝装置は、扉（開口閉鎖体）(D) の前面右上部に固定された緩衝装置本体(19)および開口の上縁に固定された係合部材(20)よりなる。
【００３０】
緩衝装置本体(19)は、扉(D) の前面に固定された板状の垂直部材(21)、垂直部材(21)から前方に突出した板状の水平部材(22)と、水平部材(22)の左端に、回転軸(6) が垂直軸回りに回転するように固定された回転式ダンパ(1) と、板状の基部が回転式ダンパ(1) の回転軸(6) の第２角柱部(6d)に固定された水平方向に伸びた回転アーム(23)と、基部が、回転アーム(23)の左側部において回転自在に支持され、かつ右方に向かってのびた内棒体(31)と、基部が、水平部材(22)に設けられた軸(24)により回転自在に支持され、かつ左方に向かって伸びた外筒体(32)とを備えており、内棒体(31)の先端部が外筒体(32)の先端部に嵌め入れられており、内棒体(31)と外筒体(32)とが互いに軸方向に移動して内棒体(31)と外筒体(32)との基部間の長さが変化するようになされている。さらに、内棒体(31)および外筒体(32)の長さの中央部には、それぞればね受け(31a)(32a)が設けられており、両ばね受け(31a)(32a)間に圧縮ばね(33)が配されている。
【００３１】
回転アーム(23)に、先端から左方向に伸びた回転案内切欠（案内部）(23a) が形成されており、回転アーム(23)の先端部が二股になされている。回転アーム(23)の左端縁には凹部(23b) が形成されているとともに、ねじ(7) の頭が凹部(23b) 内に位置している。また、回転アーム(23)の前側部には、筒状弾性部材(26)が取り付けられており、閉鎖緩衝装置が故障等して扉(D) が扉開口縁に衝突したさいの衝撃を和らげるようになっている。
【００３２】
係合部材(20)は、開口縁に固定された垂直板状部(27)と、垂直板状部(27)下端から前方に向かって突出した水平板状部(28)と、水平板状部(28)の前端に下方に向かって突出し、かつ垂直軸回りに回転自在に設けられた係合ローラ(30)とを備えている。
【００３３】
以下、上記の閉鎖緩衝装置の動作について図９〜図１２を参照して説明する。なお、以下の説明において、時計回りおよび反時計回りとは、図９を基準にいうものとする。
【００３４】
図９に示したように、扉(D) が閉められているさいは、内棒体(31)の基部は、回転式ダンパ(1) の回転軸(6) の中心と、外筒体(32)の回転中心とを結んだ線から扉(D) 側にずれた位置にあり、ばね(33)は、ダンパ(1) の回転軸(6) が反時計回りに回転するように回転アーム(23)を付勢している。この状態においては、内棒体(31)と外筒体(32)との基部が所定距離だけ離れるとともに、回転アーム(23)が垂直部材(21)の突部に当接しており、回転アーム(23)が反時計回りに回転するのが阻止され、回転アーム(23)が停止するようになされている。この状態から扉(D) を開くと、図１０に示したように、回転アーム(23)が係合ローラ(30)に案内され、時計方向に回転して回転式ダンパ(1) の回転軸(6) が時計回りに回転する。これと同時に内棒体(31)と外筒体(32)との基部間の距離が短くなりばね(33)が縮められる。なお、この状態においては、内棒体(31)の基部は、回転式ダンパ(1) の回転軸(6) の中心と、外筒体(32)の回転中心とを結んだ線から扉(D) 側にずれた位置にあり、ばね(33)は、回転アーム(23)が反時計回りに回転するように付勢している。
【００３５】
さらに、扉(D) を開くと図１１に示したように、係合ローラ(30)が回転案内切欠(23a) から離れて回転式ダンパ(1) が扉閉鎖状態から所定量回転した状態をとる。この状態においては、内棒体(31)の基部は、回転式ダンパ(1) の回転軸(6) の中心と、外筒体(32)の回転中心とを結んだ線から扉(D) と反対側にずれた位置にあり、ばね(33)は、回転式ダンパ(1) が時計回りに回転するように付勢するが、回転アーム(23)の凹部(23b) の一側縁にねじ(7) が当接しており、ダンパ(1) は時計回りには回転せず、回転アーム(23)が扉閉鎖状態から所定量回転した状態が保たれる。この状態は、図１２に示したように、扉(D) をさらに開いても変化しない。なお、図１に示したように、回転式ダンパ(1) の回転体(3) が、時計回りに回転するさいに生じる抵抗は小さいので、ダンパ(1) を回転させる力はほとんど必要ではなく、扉(D) を開くのに必要な力は、ばね(33)の付勢力に逆らってばね(33)を縮めるのに必要な力とほとんど変らない。
【００３６】
次に、図１２に示した状態から扉(D) を閉めると、図１１の位置で係合ローラ(30)が回転案内切欠(23a) に嵌まる。この状態からさらに扉(D) を閉めると、図１０に示したように、内棒体(31)の基部が、回転式ダンパ(1) の回転軸(6) の中心と、外筒体(32)の回転中心とを結んだ線から扉(D) 側にずれた位置を取り、縮められたばね(33)が伸びて、扉(D) に人力を加えなくとも、ばね(33)が伸びることにより回転アーム(23)が反時計回りに回転させられて図９に示したように扉(D) が閉まる。ばね(33)が伸びることにより、扉(D) が閉まるさいは、回転式ダンパ(1) の回転体(3) は、反時計回りに回転し、かつ図２に示したように回転体(3) が反時計回りに回転するさいに生じる抵抗は大きいので扉(D) の閉鎖速度が減速され、扉(D) が勢いよく閉まることがなく、不快な騒音が発せられることがない。
【００３７】
また、回転式ダンパ(1) は、外部から力が加えられない限り回転することがないので、係合ローラ(30)が案内切欠(23a) から離れた状態においては、扉(D) を任意の位置で停止させることができる。
【００３８】
本発明の閉鎖緩衝装置は、引戸にも対応できる。以下、本発明の閉鎖緩衝装置を引戸に適用した場合について図１３を参照して説明する。
【００３９】
本発明の閉鎖緩衝装置は、引戸(E) の開口の一端部の上縁に固定された緩衝装置本体(39)および引戸(E) の一端上部に固定された係合部材(40)よりなる。
【００４０】
緩衝装置本体(39)は、開口の一端部の上縁から突出した水平板状部(46)と、水平板状部から下方に向かって突出した垂直板状部(47)と、垂直板状部(47)に固定された水平軸回りに回転する回転式ダンパ(1) とを備えており、回転式ダンパ(1) の回転軸(6) に回転アーム(43)が取り付けられている。さらに、緩衝装置本体(39)は、基部が回転アーム(43)の基端部に回転自在に支持された内棒体(41)と、基部が垂直板状部に回転自在に支持された外筒体(42)とを備えており、内棒体(41)の先端が外筒体(42)の先端に嵌め入れられており、内棒体(41)および外筒体(42)が互いに軸方向に移動して内棒体(41)と外筒体(42)との基部間の距離が変化するようになされている。さらに、内棒体(41)および外筒体(42)の長さの中央部には、それぞればね受けが設けられており、両ばね受け間に圧縮ばね(49)が配されている。
【００４１】
係合部材(40)は、引戸(E) の一端上部から斜め上方に向かって突出した板状部(44)と、板状部の先端に取り付けられ、水平軸回りに回転する係合ローラ(45)とからなる。
【００４２】
上記の閉鎖緩衝装置に扉(E) の開閉にともない、回転アーム(43)が回転し、扉閉鎖時においては、ばね(49)により扉(E) が閉鎖されるとともに、回転式ダンパ(1) により扉閉鎖速度が減速される。
【００４３】
なお、本実施形態の閉鎖緩衝装置は、扉だけではなく、例えば、自動車のボンネットや大型の金物箱の蓋等にも適用できる。
【００４４】
【発明の効果】
本発明の閉鎖緩衝装置に用いる回転式ダンパによれば、回転体の回転により半径方向可動体が半径方向に移動することにより、隣り合う粘性流体充填室が連通または遮断され、これによって回転体の回転に要する抵抗力が変化するようになされているので、回転式ダンパを構成する部品数を少なくすることができ、回転式ダンパが安価になる。
【００４５】
また、この回転式ダンパは、外部から力を加えられない限り回転しないので、この回転式ダンパを用いた閉鎖緩衝装置によれば、係合部材と案内部とが離れた扉開放状態においては、扉を任意の位置で固定することができる。
【図面の簡単な説明】
【図１】  本発明の閉鎖緩衝装置に用いる回転式ダンパの横断面図である。
【図２】  同ダンパの他の状態の横断面図である。
【図３】  同ダンパを用いた本発明の閉鎖緩衝装置の分解斜視図である。
【図４】  同ダンパの胴体の斜視図である。
【図５】  同ダンパの回転体の斜視図である。
【図６】  同ダンパに用いられる他の回転体の斜視図である。
【図７】  本発明の閉鎖緩衝装置の斜視図である。
【図８】  同閉鎖緩衝装置の側面図である。
【図９】  同閉鎖緩衝装置の扉閉鎖時の平面図である。
【図１０】  同閉鎖緩衝装置において扉が開いた状態の平面図である。
【図１１】  同閉鎖緩衝装置において図１０の状態からさらに扉が開いた状態の平面図である。
【図１２】  同閉鎖緩衝装置において図１１の状態からさらに扉が開いた状態の平面図である。
【図１３】  本発明の閉鎖緩衝装置の他の実施形態の正面図である。
【符号の説明】
(1)         回転式ダンパ
(2)         胴体
(3)         回転体
(5)         蓋体
(10)        固定仕切体
(14)(17)    回転仕切体
(14a)(17a)  縦溝
(14b)(17b)  流路
(15)(16)    可動体
(15a)       保持手段（切欠）
(16a)       保持手段（突部）
(19)(39)    緩衝装置本体
(20)(40)    係合部材
(23)(43)    回転アーム
(23a)       案内部
(A)(B)      粘性流体充填室
(D)(E)        扉（開口閉鎖体）
(R1)        第１連通路
(R2)        第２連通路
(S)         流体流入空間
【図１】
0004016148.tif 000002
【図２】
0004016148.tif 000003
【図３】
0004016148.tif 000004
【図４】
0004016148.tif 000005
【図５】
0004016148.tif 000006
【図６】
0004016148.tif 000007
【図７】
0004016148.tif 000008
【図８】
0004016148.tif 000009
【図９】
0004016148.tif 000010
【図１０】
0004016148.tif 000011
【図１１】
0004016148.tif 000012
【図１２】
0004016148.tif 000013
【図１３】
0004016148.tif 000014